(57)【要約】【課題】  本発明は、ブラック−カラー間のブリードを低減させ得る、自己分散型顔料インク調合物、インクジェットインクセット、プリンタシステム１０、及び印刷方法を提供する。【解決手段】  本発明の例示的な自己分散型顔料インク調合物は、自己分散型顔料、表面活性化合物、溶媒、及び水溶液を含有する。表面活性化合物は、疎水性部分と親水性部分とを含み、この場合、疎水性部分は約２５〜７５％であり且つ親水性部分は約２５〜７５％である。【選択図】なし【特許請求の範囲】
【請求項１】
自己分散型顔料と、
約２５〜７５％の疎水性部分及び約２５〜７５％の親水性部分を有する表面活性化合物と、
溶媒と、
水溶液と、
を含んで成る、自己分散型顔料インク調合物。
【請求項２】
前記表面活性化合物が、下式
【化１】
2006028503.tif 000004
〔式中、ｎは１〜２００〕のプロポキシル化グリセロールを含む、請求項１に記載の自己分散型顔料インク調合物。
【請求項３】
前記自己分散型顔料が、前記自己分散型顔料インク調合物の約０．５〜６ｗｔ％の量であり、前記溶媒が、前記自己分散型顔料インク調合物の約１０〜３５ｗｔ％の量であり、前記表面活性化合物が、前記自己分散型顔料インク調合物の約０．０１〜３ｗｔ％の量であり、且つ前記水溶液が、前記自己分散型顔料インク調合物の約４５〜９０ｗｔ％の量である、請求項１に記載の自己分散型顔料インク調合物。
【請求項４】
前記自己分散型顔料が、酸化カーボンブラック、表面修飾カーボンブラック、及び酸化カーボンブラックと表面修飾カーボンブラックの組合せ、から選択される、請求項１に記載の自己分散型顔料インク調合物。
【請求項５】
前記表面活性化合物が、グリセロールプロポキシレート（分子量（ＭＷ）１５００）、グリセロールプロポキシレート（ＭＷ  １０００）、グリセロールプロポキシレート（ＭＷ  ７５０）、グリセロールプロポキシレート（ＭＷ  ４１００）、及びそれらの組合せから選択されるプロポキシル化グリセロールを含む、請求項１に記載の自己分散型顔料インク調合物。
【請求項６】
自己分散型ブラック顔料と、
下式
【化２】
2006028503.tif 000005
〔式中、ｎは１〜４０〕のプロポキシル化グリセロールと、
溶媒と、
水溶液と、
を含んで成る、自己分散型顔料インク調合物。
【請求項７】
カラーインク調合物と、
自己分散型ブラック顔料調合物であって、
自己分散型ブラック顔料と、
約２５〜７５％の疎水性部分及び約２５〜７５％の親水性部分を有する表面活性化合物と、
溶媒と、
水溶液と、
を含んで成る自己分散型ブラック顔料調合物と、
を含む、インクジェットインクセット。
【請求項８】
前記表面活性化合物が、プロポキシル化脂肪酸、プロポキシル化アルコール、エトキシル化脂肪酸、エトキシル化アルコール、アルキルフェノール、及びそれらの組合せから選択される、請求項７に記載のインクジェットインクセット。
【請求項９】
ブラック−カラー間ブリードを抑制する方法であって、
カラーインク調合物と自己分散型ブラック顔料インク調合物とを設けるステップであって、前記自己分散型ブラック顔料インク調合物が、
自己分散型顔料と、
約２５〜７５％の疎水性部分及び約２５〜７５％の親水性部分を有する表面活性化合物と、
溶媒と、
水溶液と、
を含んで成る、ステップと、
前記カラーインク調合物と前記自己分散型ブラック顔料インク調合物を互いに隣接して印刷するステップと、
を包含し、前記カラーインク調合物及び前記自己分散型ブラック顔料インク調合物からのブリードが実質的に阻止される、方法。
【請求項１０】
少なくとも１つの印刷ヘッドを備える分配システム１４を含み、前記印刷ヘッドが自己分散型ブラック顔料インク及びカラーインクのうち少なくとも１つを含有し、前記自己分散型ブラック顔料インクが、
自己分散型ブラック顔料と、
約２５〜７５％の疎水性部分及び約２５〜７５％の親水性部分を有する表面活性化合物と、
溶媒と、
水溶液と、
を含んで成る、プリンタシステム１０。
【発明の詳細な説明】
【技術分野】
【０００１】
本発明は、概して、インクジェット印刷に関し、より詳細には、自己分散型顔料インク調合物、インクジェットインクセット、印刷システム、並びに印刷方法に関する。
【背景技術】
【０００２】
オフィス及び家庭におけるインクジェット印刷システムの利用は、近年、劇的に進展した。この進展は、インクジェットプリンタコストの徹底的な削減と、印刷分解能及び総合的印刷品質の実質的改善によるものと考えてよい。印刷品質は急激に改善されてきてはいるが、インクジェット画像の耐久性を改善するための研究開発努力は継続して行われている。何故なら、当該特性は、他の印刷技術並びに写真技術によって達成される耐久性にはまだ達していないためである。インクジェット印刷においては、妥当なコストを維持しながら、高い品質、高い永続性、及び高い耐久性を有する画像を生成することが絶えず望まれている。
【０００３】
インクジェット印刷においては、印刷ヘッドとして知られている液滴発生装置から精密なドットパターンが射出される際に、印刷媒体上にインクジェット画像が形成される。典型的なインクジェット印刷ヘッドは、ノズルプレート上に配置され且つインクジェット印刷ヘッドアレイに取り付けられている、精密に形成されたノズルアレイを有する。インクジェット印刷ヘッドアレイには、１つ又は複数のインク容器との流体連通を介して、液体ビヒクルに溶解又は分散している顔料系インク及び／又は染料系インクをはじめとする液体インクを受容する射出チャンバアレイが備わっている。各チャンバには、ノズルに対向して、射出抵抗体として知られる薄膜抵抗体が配置されており、それによって、インクは射出抵抗体とノズルとの間に溜まることができる。特定の射出抵抗体が励起されると、ノズルを介して印刷媒体の方にインク滴が噴出されて、画像が生成される。
【０００４】
印刷媒体は、種々の表面エネルギーを有する。加えて、表面エネルギーは、同一の印刷媒体に関しても均一ではない。非コート普通紙からなる印刷媒体は、紙繊維、充填剤、及び耐湿樹脂、並びに種々のサイズ剤を含んでおり、それらの全てが水性インクに対して様々な程度の親和性を有する。印刷媒体表面は、繊維及び充填剤が露出している部分はたいてい親水性であり、耐湿樹脂が露出している部分では疎水性である。一般に、印刷媒体は、紙に関しては、疎水性部位より親水性部位を多く有する。このため、インクジェット液滴は、異なる印刷媒体間のみならず、同一の印刷媒体上でも様々な界面エネルギーに遭遇することになる。
【０００５】
自己分散型顔料インクに関しては、溶媒、界面活性剤、及び水を用いたインク設計物に対する従来の手法は、印刷媒体を均一な状態にできるほど十分なエネルギー配置をもたらさないため、機能しない。
【発明の開示】
【発明が解決しようとする課題】
【０００６】
本発明は、不均一な表面エネルギーを有する印刷媒体上においても、ブラック−カラー間ブリードを抑えつつ、均一な濃度の印刷をもたらすことのできる、自己分散型顔料インク、インクジェットインクセット、プリンタシステム、及び印刷方法を提供する。
【課題を解決するための手段】
【０００７】
簡単に言えば、本開示の実施形態には、自己分散型顔料インク調合物、インクジェットインクセット、プリンタシステム、及び印刷方法が包含される。中でも、１つの例示的な自己分散型顔料インク調合物は、自己分散型顔料、表面活性化合物、溶媒、及び水溶液を含有する。表面活性化合物は、疎水性部分と親水性部分を含み、疎水性部分は約２５〜７５％であり、且つ親水性部分は約２５〜７５％である。
【０００８】
他の例示的な自己分散型顔料インク調合物は、自己分散型ブラック顔料、プロポキシル化グリセロール、溶媒、及び水溶液を含有する。プロポキシル化グリセロールは、下式（式中、ｎは１〜４０）を有する。
【０００９】
【化３】
2006028503.tif 000002
【００１０】
例示的なインクジェットインクセットは、カラーインク調合物と自己分散型ブラック顔料調合物を含む。自己分散型ブラック顔料調合物は、自己分散型ブラック顔料、表面活性化合物、溶媒、及び水溶液を含有する。表面活性化合物は、疎水性部分と親水性部分を含み、この場合、疎水性部分は約２５〜７５％であり且つ親水性部分は約２５〜７５％である。
【００１１】
ブラック−カラー間のブリードを抑制する例示的な方法は、上述のカラーインク調合物と自己分散型ブラック顔料インク調合物を設けるステップと、前記カラーインク調合物と前記自己分散型ブラック顔料インク調合物を互いに隣接して印刷するステップとを包含し、この場合、カラーインク調合物と自己分散型ブラック顔料インク調合物からのブリードが、実質的に阻止される。
【００１２】
例示的なプリンタシステムは、少なくとも１つの印刷ヘッドを備える分配システムを具備し、この場合、当該印刷ヘッドは、自己分散型ブラック顔料とカラーインクのうち少なくとも一方を含む。自己分散型ブラック顔料は、自己分散型ブラック顔料、表面活性化合物、溶媒、及び水溶液を含有する。表面活性化合物は、疎水性部分と親水性部分を含み、この場合、疎水性部分は約２５〜７５％であり且つ親水性部分は約２５〜７５％である。
【発明の効果】
【００１３】
本発明によれば、不均一な表面エネルギーを有する印刷媒体上においても、ブラック−カラー間ブリードを抑えつつ、均一な濃度の印刷をもたらすことのできる、自己分散型顔料インク、インクジェットインクセット、プリンタシステム、及び印刷方法を提供することができる。
【発明を実施するための最良の形態】
【００１４】
本開示の多くの態様は、以下の図面を参照することによって、さらによく理解することができる。図面において、構成要素は、必ずしも正確な縮尺関係にはない。さらに、図面において、類似の符号は、複数の図を通して対応する部品を示している。
【００１５】
自己分散型顔料インク調合物、インクジェットインクセット、プリンタシステム、並びに印刷方法について説明する。本発明の実施形態は、典型的な自己分散型顔料インク調合物において、疎水性部分と親水性部分を含んでいる表面活性化合物を用いることによって、ブラック−カラー間のブリードを実質的に防止するものである。特定の理論に捉われるわけではないが、表面活性化合物の部分は、分配されると、印刷媒体の表面エネルギーを低下させ、それによってブラック−カラー間ブリードが実質的に防止され、且つ均一な濃度の印刷物がもたらされるのである。
【００１６】
詳細には、主として親水性部分を含むインクシステムは、一般に、印刷媒体上に拡散して、ブリード汚れ、エッジの凸凹、及び不均一な印刷を引き起こす。自己分散型顔料インク調合物に関する本発明の実施形態では、疎水性部分と親水性部分を含んでいる表面活性化合物を含有する。特定の理論に捉われるわけではないが、親水性部分は、印刷媒体の親水性表面領域と相互作用し、それによってそれらを不活性化させる。側方拡散を防ぐため、残りの疎水性部分が遮蔽物を形成し、それがインクを拡散させないようにする。加えて又はその代わりに、表面活性化合物は、自己分散型顔料インク調合物の自己分散型顔料インクに付着し、それによって、実質的に、印刷媒体上に自己分散型顔料インクが固定化され、且つ／又は印刷媒体上に自己分散型顔料インクを捕捉するエマルジョンが形成する。
【００１７】
図１に、コンピュータ制御システム１２、インク分配システム１４、及び印刷媒体１８を含んで成る、代表的なプリンタシステム１０のブロック図を示す。コンピュータ制御システム１２は、インク分配システム１４を制御する機能を有するプロセス制御システムを含む。詳細には、コンピュータ制御システム１２は、文字、記号、写真等を印刷媒体１８上に印刷するようインク分配システム１４に指令し且つ制御する。
【００１８】
インク分配システム１４には、限定はしないが、インク（例えば、染料系インク及び顔料系インク調合物）を印刷媒体１８上に分配するインクジェット技術及びコーティング技術が包含される。ドロップオンデマンド及び連続フローインクジェット技術のようなインクジェット技術を用いて、インクを分配することができる。インク分配システム１４は、印刷ヘッドにおける複数のノズルの１つ以上を通してインクを分配（例えば、噴射）させるべく作用する、少なくとも１つのインクジェット印刷ヘッドシステム（例えば、サーマルインクジェット印刷ヘッド及び／又は圧電インクジェット印刷ヘッド）を具備し得る。印刷ヘッドシステムには、１つ又は複数のインク容器と流体連通している、液体ビヒクルに溶解もしくは分散しているインク（例えば、自己分散型ブラック顔料インク調合物とカラーインク調合物）を受容する射出チャンバアレイが備え付けられている。
【００１９】
自己分散型顔料インク調合物は、限定はしないが、自己分散型顔料、表面活性化合物、溶媒、及び水溶液を含有する。さらに、自己分散型顔料インク調合物は、塩、緩衝剤、殺生物剤、バインダー、及びそれらの組合せも含有し得る。
【００２０】
用語「複数の印刷媒体」又は「印刷媒体」には、限定はしないが、紙基材、写真ベース基材、プラスチック媒体（例えば、透明〜不透明プラスチックフィルム）基材等が含まれ得る。印刷媒体として、限定はしないが、ポリマー、紙、ガラス、セラミック、織布、又は不織布材料から作られた硬質若しくは可撓性の材料を挙げることができる。
【００２１】
自己分散型顔料インクには、限定はしないが、自己分散型ブラック顔料インクが包含される。自己分散型ブラック顔料インクは、限定はしないが、自己分散型カーボンブラックなどの、化学修飾された水分散性顔料を含有する。この化学修飾は、有機顔料をはじめとする自己分散型ブラック顔料インク前駆体に、水分散性を付与するものである。例えば、自己分散型カーボンブラックとして、酸化カーボンブラック、表面修飾カーボンブラック、及び酸化カーボンブラックと表面修飾カーボンブラックとの組合せが挙げられる。
【００２２】
限定はしないが、自己分散性又は水溶性を賦与すべく、少なくとも１つの芳香族基若しくはＣ１−Ｃ１２アルキル基、及び少なくとも１つのイオン基若しくはイオン化性基のような、１つ以上の有機基を付加して、顔料を修飾することができる。イオン化性基は、水性媒体中で、そのイオン基を形成するものである。イオン基は、陰イオン又は陽イオンとし得る。芳香族基には、置換又は未置換のものを用いることができる。芳香族基の例には、フェニル又はナフチル基が含まれ、イオン基としては、限定はしないが、スルファニル酸、スルフィン酸、ホスホン酸、カルボン酸、アンモニウム、第四アンモニウム、又はホスホニウム基を挙げることができる。
【００２３】
選択するプロセスに応じて、自己分散型ブラック顔料インクは、性質上、陰イオン又は陽イオンの何れともし得る。市販されているように、陰イオン発色団は、通常、ナトリウム又はカリウムといった陽イオンと結合し、そして陽イオン発色団は、通常、塩化物又は硫酸塩といった陰イオンと結合する。
【００２４】
自己分散型ブラック顔料インクを生成する１つの方法は、少なくとも１つの酸性官能基を含有するアリールジアゾニウム塩を用いて、自己分散型ブラック顔料インク前駆体を処理するステップを包含する。アリールジアゾニウム塩の例には、スルファニル酸、４−アミノ安息香酸、４−アミノサリチル酸、７−アミノ−４−ヒドロキシ−２−ナフタレンスルホン酸、アミノフェニルホウ素酸  アミノフェニルホスホン酸、及びメタニル酸から調製されるものが含まれる。
【００２５】
アンモニウム基、第四アンモニウム基、第四ホスホニウム基、及びプロトン化アミン基は、上述したものと同じ有機基に結合し得る陽イオン基の代表例である。
【００２６】
自己分散型ブラック顔料インク並びに官能性基を結合させる方法は、米国特許第５、７０７，４３２号、第５、６３０，８６８号、第５、５７１，３１１号、及び第５、５５４，７３９号に記載されている。
【００２７】
本開示の実施に際して、以下の自己分散型ブラック顔料が有用である、しかしながら、このリストは、単なる例示であって、本開示の範囲を限定する意はない。カボット（Ｃａｂｏｔ）社から入手可能な自己分散型ブラック顔料インク：Ｃａｂ−Ｏ−Ｊｅｔ（商標）２００及びＣａｂ−Ｏ−Ｊｅｔ（商標）３００。コロンビアン（Ｃｏｌｕｍｂｉａｎ）社から入手可能なブラック顔料：Ｒａｖｅｎ  ７０００、Ｒａｖｅｎ  ５７５０、Ｒａｖｅｎ  ５２５０、Ｒａｖｅｎ  ５０００、及びＲａｖｅｎ  ３５００。デグッサ（Ｄｅｇｕｓｓａ）社から入手可能なブラック顔料：Ｃｏｌｏｒ  Ｂｌａｃｋ  ＦＷ２００、Ｃｏｌｏｒ  Ｂｌａｃｋ  ＦＷ  ２、Ｃｏｌｏｒ  Ｂｌａｃｋ  ＦＷ  ２Ｖ、Ｃｏｌｏｒ  Ｂｌａｃｋ  ＦＷ  １、Ｃｏｌｏｒ  Ｂｌａｃｋ  ＦＷ  １８、Ｃｏｌｏｒ  Ｂｌａｃｋ  Ｓ  １６０、Ｃｏｌｏｒ  Ｂｌａｃｋ  ＦＷ  Ｓ  １７０、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４、Ｐｒｉｎｔｅｘ（商標）Ｕ、Ｐｒｉｎｔｅｘ（商標）１４０Ｕ、Ｐｒｉｎｔｅｘ（商標）Ｖ、及びＰｒｉｎｔｅｘ（商標）１４０Ｖ。デュポン（ＤｕＰｏｎｔ）社から入手可能なＴｉｐｕｒｅ（商標）Ｒ−１０１。
【００２８】
表面活性化合物には、限定はしないが、疎水性部分と親水性部分を有する化合物が含まれる。表面活性化合物は、約２５〜７５％、好ましくは約４５〜６０％の疎水性部分を含むことができる。表面活性化合物は、約２５〜７５％、好ましくは約４０〜５５％の親水性部分を含むことができる。表面活性化合物には、限定はしないが、下式（式中、「ｎ」は、約１〜２００、好ましくは約１〜４０、より好ましくは約２〜１５、最も好ましくは約５〜１０とし得る）のプロポキシル化グリセロールを含むことができる。
【００２９】
【化４】
2006028503.tif 000003
【００３０】
当該表面活性化合物には、約２００〜３５０００、好ましくは４００〜１００００、より好ましくは６００〜１５００の分子量を有するプロポキシル化グリセロールを含むことができる。表面活性化合物として、グリセロールプロポキシレート（ＭＷ  １５００）、グリセロールプロポキシレート（ＭＷ  １０００）、グリセロールプロポキシレート（ＭＷ  ７５０）、グリセロールプロポキシレート（ＭＷ  ４１００）、及びそれらの組合せを挙げることができる。
【００３１】
さらに、表面活性化合物には、限定はしないが、プロポキシル化脂肪酸、プロポキシル化アルコール、エトキシル化脂肪酸、エトキシル化アルコール、アルキルフェノール、及びそれらの組合せを含むことができる。詳細には、表面活性化合物として、Ａｎｔａｒｏｘ（商標）ＡＡ−６０、Ａｎｔｏｒｏｘ（商標）Ｌ６２、Ａｌｃｏｄｅｔ（商標）ＩＬ−３５００、Ａｎｔｏｒｏｘ（商標）ＢＬ、Ａｎｔａｒｏｘ（商標）ＬＡ−ＥＰ、及びＡｎｔａｒｏｘ（商標）ＬＦ−２２４を挙げることができ、その全てがローン・ポーレンク社（Ｒｈｏｎｅ−Ｐｏｕｌｅｎｃ  Ｉｎｃ．）より購入することができる。
【００３２】
一般的に、特定の理論に捉われるわけではないが、部分的に疎水性である、プロポキシル化グリセロールは、疎水性障壁として作用して、インクの側方拡散を防止する。親水性部分は、印刷媒体の親水性表面領域と相互作用し、その結果、それらを不活性化する。プロポキシル化グリセロールは、分枝しているのみならず、疎水性部分が存在するところの３つの大きい突出部も有している。各疎水性突出部は、比較的小さい親水性の水酸基を一方の側に有している。他の側は、部分的に親水性であり且つ部分的に疎水性であり、３つの突出部全てに結合している。
【００３３】
溶媒には、限定はしないが、水溶性有機溶媒が含まれる。当該水溶性有機溶媒として、限定はしないが、脂肪族アルコール、芳香族アルコール、ジオール、グリコールエーテル、ポリ（グリコール）エーテル、ラクタム、ホルムアミド、アセトアミド、長鎖アルコール、エチレングリコール、プロピレングリコール、ジエチレングリコール、トリエチレングリコール、グリセリン、ジプロピレングリコール、グリコールブチルエーテル、ポリエチレングリコール、ポリプロピレングリコール、アミド、エーテル、カルボン酸、エステル、オルガノスルフィド、オルガノスルホキシド、スルホン、アルコール誘導体、カルビトール、ブチルカルビトール、セロソルブ、エーテル誘導体、アミノアルコール、及びケトンを挙げることができる。
【００３４】
例えば、当該溶媒には、限定はしないが、炭素数３０以下の第一脂肪族アルコール、炭素数３０以下の第一芳香族アルコール、炭素数３０以下の第二脂肪族アルコール、炭素数３０以下の第二芳香族アルコール、炭素数３０以下の１，２−ジオール、炭素数３０以下の１，３−ジオール、炭素数３０以下の１，５−ジオール、エチレングリコールアルキルエーテル、プロピレングリコールアルキルエーテル、ポリ（エチレングリコール）アルキルエーテル、ポリ（エチレングリコール）アルキルエーテルの高次の同族体、ポリ（プロピレングリコール）アルキルエーテル、ポリ（プロピレングリコール）アルキルエーテルの高次の同族体、ラクタム、置換ホルムアミド、未置換ホルムアミド、置換アセトアミド、及び未置換アセトアミドが包含され得る。
【００３５】
詳細には、当該溶媒として、限定はしないが、エトキシル化グリセロール、２−メチル−１，３−プロパンジオール、２−メチル−２，４−ペンタンジオール、１，５−ペンタンジオール、２−ピロリドン、１−（２−ヒドロキシルエチル）−２−ピロリジノン、２−エチル−２−ヒドロキシメチル−１，３−プロパンジオール、ジエチレングリコール、３−メトキシブタノール、及び１，３−ジメチル−２−イミダゾリジノンを挙げることができる。当該溶媒にはまた、限定はしないが、１，２−ヘキサンジオール、１，２−オクタンジオール、２，５−ジメチル−３−ヘキシン−２，５−ジオール、トリメチロールプロパン、３−ヘキシン−２，５−ジオール、スルホラン、３−ピリジルカルビノール、及びその他のピリジン誘導体も含むことができる。さらに、溶媒を付加することで、インクジェットインク中の水の蒸発速度を低下させたり、詰まりを最小限としたり、又は粘度、ｐＨ、表面張力、光学濃度、及び印刷品質のようなインクの他の諸性質を変更することができる。
【００３６】
塩として、限定はしないが、アンモニウム、カリウム、又はリチウムの安息香酸塩；アンモニウム、カリウム、又はリチウムの酢酸塩；リチウム、カリウム、又はリチウムキシレンのスルホン酸塩；ＮＨ４、ナトリウム、リチウム、及びカリウムの硝酸塩；アンモニウム、カリウム、又はリチウムの乳酸塩；アンモニウム、カリウム、又はリチウムのクエン酸塩；ナトリウム、リチウム、及びカリウムの炭酸塩；ナトリウム、リチウム、及びカリウムの二リン酸塩；ナトリウム、リチウム、及びカリウムの三リン酸塩；及びそれらの混合物を挙げることができる。加えて、当該塩として、限定はしないが、クエン酸塩、コハク酸塩、乳酸塩、ギ酸塩、グルコン酸塩、酒石酸塩、マロン酸塩、フマル酸塩、マレイン酸塩、セバシン酸塩、ラウリン酸塩、グルタル酸塩、酢酸塩、オキシ酸塩（ｏｘｙｌａｔｅ）、アジピン酸塩、ピメリン酸塩、スベリン酸塩、アゼライン酸塩、及びそれらの混合物などの化合物の、ナトリウム、リチウム、及びカリウムの塩を挙げることができる。
【００３７】
任意に、種々の緩衝剤又はｐＨ調節剤を当該インク調合物に用いることもできる。当該緩衝剤には、限定はしないが、アルカリ金属の水酸化物（例えば、水酸化リチウム、水酸化ナトリウム、水酸化カリウム）；アミン（例えば、トリエタノールアミン、ジエタノールアミン、及びジメチルエタノールアミン）；クエン酸；塩酸；並びにブリード抑制又は光学濃度特性に実質的に干渉しないその他の塩基性若しくは酸性成分を含むことができる。加えて、市販のｐＨ緩衝剤も使用でき、それらとしては、シグマアルドリッチ（Ｓｉｇｍａ  Ａｌｄｒｉｃｈ）社から入手できるもの（例えば、酸又は塩の形態の、ＭＥＳ、ＭＯＰｓ、Ｔｒｉｚｍａ、Ｂｉｓ−Ｔｒｉｓ、ＭＯＰＳＯ、ＴＥＳ、ＴＡＰＳＯ、ＴＥＡ、ＴＲＩＣＩＮＥ、ＢＩＣＩＮＥ、ＴＡＰＳ、及びＡＭＰＳＯ）がある。
【００３８】
種々の殺生物剤を用いることで、望ましくない微生物の成長を阻害することができる。当該殺生物剤には、限定はしないが、安息香酸塩、ソルビン酸塩、ＮＵＯＳＥＰＴ（商標）（ヌデックス社（Ｎｕｄｅｘ，Ｉｎｃ．）社、ヒュルスアメリカ（Ｈｕｌｓ  Ａｍｅｒｉｃａ）社の１部門）、ＵＣＡＲＣＩＤＥ（商標）（ユニオンカーバイド（Ｕｎｉｏｎ  Ｃａｒｂｉｄｅ）社）、ＶＡＮＣＩＤＥ（ＲＴ  ヴァンダービルト社（ＲＴ  Ｖａｎｄｅｒｂｉｌｔ  Ｃｏ．））、及びＰＲＯＸＥＬ（商標）（アイシーアイ アメリカ（ＩＣＩ  Ａｍｅｒｉｃａ）社）のような市販品、及びその他の殺生物剤を含むことができる。
【００３９】
種々の界面活性剤もまた、当該インク調合物に用いることができる。当該界面活性剤には、限定はしないが、陰イオン、非イオン、及び両性イオン界面活性剤を含むことができる。陰イオン界面活性剤としては、限定はしないが、直鎖脂肪酸のナトリウム若しくはカリウム塩；ヤシ油脂肪酸のナトリウム若しくはカリウム塩；トール油脂肪酸のナトリウム若しくはカリウム塩；アミン塩；アシル化ポリペプチド；直鎖アルキルベンゼンスルホネート；高級アルキルベンゼンスルホネート；ベンゼン；トルエン；キシレン；クメンスルホネート；リグノスルホネート（ｌｉｇｎｏｓｕｌｆｏｎａｔｅ）；石油スルホネート；Ｎ−アシル−ｎ−アルキルタウリン酸塩（エステル）；パラフィンスルホネート；第二級ｎ−アルカンスルホネート；アルファオレフィンスルホネート；スルホコハク酸エステル；アルキルナファレンスルホネートあるいはアルキルナフタレンスルホネート；イソチオナート；硫酸エステル塩；硫酸化ポリオキシエチレン化直鎖アルコール；硫酸化トリグリセリド油；リン酸及びポリリン酸エステル；過フッ化陰イオン界面活性剤が含まれ得る。
【００４０】
限定はしないが、非イオン性界面活性剤としては、アルキルフェノールエトキシラート、ポリオキシエチレナート（ｐｏｌｙｏｘｙｅｔｈｙｌｅｎａｔｅ）、直鎖アルコールエトキシラート、ポリオキシエチレン化ポリオキシプロピレングリコール、ポリオキシエチレン化メルカプタン、長鎖カルボン酸エステル、天然及び脂肪酸のグリセリル及びポリグリセリルエステル、プロピレングリコール、ソルビトール及びポリオキシエチレン化ソルビトールエステル、ポリオキシエチレングリコールエステル及びポリオキシエチレン化脂肪酸、アルカノールアミン凝縮物、アルカノールアミド、第三級アセチレングリコール、ポリオキシエチレン化シリコーン、Ｎ−アルキルピロリドン及びアルキルポリグリコシドを挙げることができる。
【００４１】
両性イオン界面活性剤には、限定はしないが、ベータ−Ｎ−アルキルアミノプロピオン酸、Ｎ−アルキル−ベータ−イミノジプロピオン酸、イミダゾリンカルボン酸塩、Ｎ−アルキルベタイン、アミンオキシド、スルホベタイン及びスルタイン（ｓｕｌｔａｉｎｅｓ）界面活性剤が含まれ得る。
【００４２】
加えて、インクを印刷媒体に固定化する働きのあるバインダーをインク調合物に含むこともできる。当該バインダーには、限定はしないが、約２００ＭＷ〜約１００００ＭＷの分子量（ＭＷ）を有する化合物を含むことができる。限定はしないが、当該バインダーとして、ポリエステル、ポリエステル−メラニン、スチレン−アクリル酸コポリマー、スチレン−アクリル酸−アルキルアクリレートコポリマー、スチレン−マレイン酸コポリマー、スチレン−マレイン酸−アルキルアクリレートコポリマー、スチレン−メタクリル酸コポリマー、スチレン−メタクリル酸−アルキルアクリレートコポリマー、スチレン−マレイン酸半エステルコポリマー、ビニルナフタレン−アクリル酸コポリマー、ビニルナフタレン−マレイン酸コポリマー、及びそれらの塩を挙げることができる。
【００４３】
一実施形態では、自己分散型顔料インク調合物は、当該調合物の約０．５〜６ｗｔ％の量の自己分散型顔料、当該調合物の約０．０１〜３ｗｔ％の量の表面活性化合物、及び当該調合物の約１０〜３５ｗｔ％の量の溶媒を含むことができ、一方、当該調合物の残余部分は水である。別の実施形態では、自己分散型顔料インク調合物は、当該調合物の約０．５〜６ｗｔ％の量の自己分散型顔料、当該調合物の約０．０１〜１ｗｔ％の量の表面活性化合物、当該調合物の約１０〜３５ｗｔ％の量の溶媒を含み、一方、当該調合物の残余部分は、典型的に水である。自己分散型ブラック顔料インク調合物がその他の成分も含有できることに留意されたい。
【００４４】
別の実施形態では、自己分散型顔料インク調合物は、当該調合物の約１〜６ｗｔ％の量の自己分散型ブラック顔料、当該調合物の約０．０１〜０．２ｗｔ％の量の表面活性化合物、当該調合物の約０．１〜４．５ｗｔ％のエトキシル化グリセロール、当該調合物の約０．１〜１０ｗｔ％の量の２−ピロリジノン、当該調合物の約０．１〜１０ｗｔ％の量の１，５−ペンタンジオール、当該調合物の約０．１〜２．０ｗｔ％の量の２−メチル−１，３−プロパンジオール、当該調合物の約０．００１〜０．３ｗｔ％の量のＳｕｒｆｙｎｏｌ  ４６５、当該調合物の約０．１〜５ｗｔ％の量の２−メチル−２，４−ペンタンジオール、当該調合物の約０〜２．５ｗｔ％の量の安息香酸アンモニウム、当該調合物の約０〜１．５ｗｔ％の量の酢酸カリウム、当該調合物の約０〜２．０ｗｔ％の量の酢酸アンモニウム、当該調合物の約０〜２．０ｗｔ％の量の硫酸アンモニウム、当該調合物の約０〜０．３ｗｔ％の量のＴＲＩＳ緩衝剤、当該調合物の約０〜０．１ｗｔ％の量のＰｒｏｘｅｌ  ＧＸＬを含むことができ、一方、その調合物の残余部分は、典型的に水である。
【００４５】
自己分散型顔料インク調合物は、プリンタシステム１０において、インクジェットインクセットを構成する１つ又は複数のカラーインクと共に用いることができる。自己分散型顔料インク調合物と１つ又は複数のカラーインクとを、同一の印刷ヘッド又は１つ又は複数の印刷ヘッドにおいて用いることができる。
【００４６】
例えば、図２は、図１記載のプリンタシステムを用いてインクを分散する方法２０に関する代表的実施形態のフロー図を示している。ブロック２２において、カラーインク調合物と自己分散型ブラック顔料インク調合物を設ける。当該自己分散型ブラック顔料インク調合物は、上述のように、疎水性部分と親水性部分を有する表面活性化合物を含有する。ブロック２４において、インク分配システム１４を用いて、自己分散型ブラック顔料インク調合物とカラーインク調合物を、印刷媒体１８上に互いに隣接して配置する。
【００４７】
限定はしないが、カラーインクには、染料系インク及び顔料系インクを含むことができる。染料系インク及び顔料系インクは、非イオン性、陽イオン性、陰イオン性、又はそれらの混合物とし得る。インクジェット印刷用のカラーの染料系インク及び顔料系インクを、本開示の実施に用いることができる。カラーインクには、多数の水溶性の酸性染料及び直接染料を含むことができる。限定はしないが、説明目的で、この目的に適する幾つかの代表的な着色剤を以下に挙げる。
【００４８】
染料の具体的な例として、Ｐｒｏ−Ｊｅｔ  Ｙｅｌｌｏｗ  １  Ｄｉｒｅｃｔ  Ｙｅｌｌｏｗ  ８６、Ａｃｉｄ  Ｒｅｄ  ２４９、Ｄｉｒｅｃｔ  Ｂｌｕｅ  １９９、Ｄｉｒｅｃｔ  Ｂｌａｃｋ  １６８、及びＤｉｒｅｃｔ  Ｙｅｌｌｏｗ  １３２をはじめとする、アビシア社（Ａｖｅｃｉａ  Ｌｔｄ．）から入手可能なＰｒｏ−Ｊｅｔシリーズの染料；Ａｍｉｎｙｌ  Ｂｒｉｌｌｉａｎｔ  Ｒｅｄ  Ｆ−Ｂ（住友化学社）；Ｒｅａｃｔｉｖｅ  Ｂｌａｃｋ  ３１、Ｄｉｒｅｃｔ  Ｙｅｌｌｏｗ  １５７、Ｒｅａｃｔｉｖｅ  Ｙｅｌｌｏｗ  ３７、Ａｃｉｄ  Ｙｅｌｌｏｗ  ２３、Ｒｅａｃｔｉｖｅ  Ｒｅｄ  １８０、Ａｃｉｄ  Ｒｅｄ  ５２、及びＡｃｉｄ  Ｂｌｕｅ  ９などの、ヘキスト（Ｈｏｅｃｈｓｔ）社から入手可能なＤｕａｓｙｎ系列の「塩フリー」染料；及びそれらの混合物が挙げられる。さらに他の例として、Ｔｒｉｃｏｎ  Ａｃｉｄ  Ｒｅｄ  ５２、Ｔｒｉｃｏｎ  Ｄｉｒｅｃｔ  Ｒｅｄ  ２２７、及びＴｒｉｃｏｎ  Ａｃｉｄ  Ｙｅｌｌｏｗ  １７（トリコンカラーズ社（Ｔｒｉｃｏｎ  Ｃｏｌｏｒｓ  Ｉｎｃｏｒｐｏｒａｔｅｄ））、Ｂｅｒｎａｃｉｄ  Ｒｅｄ  ２ＢＭＮ、  Ｐｏｎｔａｍｉｎｅ  Ｂｒｉｌｌｉａｎｔ  Ｂｏｎｄ  Ｂｌｕｅ  Ａ、ＢＡＳＦ  Ｘ−３４、Ｐｏｎｔａｍｉｎｅ、Ｆｏｏｄ  Ｂｌａｃｋ  ２、Ｃａｔｏｄｉｒｅｃｔ  Ｔｕｒｑｕｏｉｓｅ  ＦＢＬ  Ｓｕｐｒａ  Ｃｏｎｃ．（キャロライナ カラーアンドケミカル（Ｃａｒｏｌｉｎａ  Ｃｏｌｏｒ  ａｎｄ  Ｃｈｅｍｉｃａｌ）社）、Ｄｉｒｅｃｔ  Ｂｌｕｅ  ８６、（モバイケミカル（Ｍｏｂａｙ  Ｃｈｅｍｉｃａｌ）社）、Ｒｅａｃｔｉｖｅ  Ｒｅｄ  ４、（アルドリッチケミカル社）、Ｒｅａｃｔｉｖｅ  Ｒｅｄ  ５６（パイラム社（Ｐｙｌａｍ，Ｉｎｃ．））、Ｌｅｖａｆｉｘ  Ｂｒｉｌｌｉａｎｔ  Ｒｅｄ  Ｅ−４Ｂ（モバイケミカル（Ｍｏｂａｙ  Ｃｈｅｍｉｃａｌ）社）、Ｌｅｖａｆｉｘ  Ｂｒｉｌｌｉａｎｔ  Ｒｅｄ  Ｅ−６ＢＡ（モバイケミカル社）、Ｐｙｌａｍ  Ｃｅｒｔｉｆｉｅｄ  Ｄ＆Ｃ  Ｒｅｄ＃２８（パイラム社）、Ｄｉｒｅｃｔ  Ｂｒｉｌｌ  Ｐｉｎｋ  Ｂ  Ｇｒｏｕｎｄ  Ｃｒｕｄｅ（クロンプトン アンド ノールズ（Ｃｒｏｍｐｔｏｎ  ＆  Ｋｎｏｗｌｅｓ）社）、Ｃａｒｔａｓｏｌ  Ｙｅｌｌｏｗ  ＧＴＦ  Ｐｒｅｓｓｃａｋｅ（サンド社（Ｓａｎｄｏｚ，Ｉｎｃ．））、Ｔａｒｔｒａｚｉｎｅ  Ｅｘｔｒａ  Ｃｏｎｃ．（サンド社）、Ｄｉｒｅｃｔ  Ｙｅｌｌｏｗ  ８６，Ｃａｒｏｌｉｎａ  Ｃｏｌｏｒ  ａｎｄ  Ｃｈｅｍｉｃａｌ、Ｃａｒｔａｓｏｌ  Ｙｅｌｌｏｗ  ＧＴＦ  Ｌｉｑｕｉｄ  Ｓｐｅｃｉａｌ  １１０（サンド社）、Ｄ＆Ｃ  Ｙｅｌｌｏｗ  ＃１０（トリコンカラーズ社）、Ｙｅｌｌｏｗ  Ｓｈａｄｅ  １６９４８（トリコンカラーズ社）、Ｂａｓａｃｉｄ  Ｂｌａｃｋ  Ｘ３４（バスフ（ＢＡＳＦ）社）、Ｃａｒｔａ  Ｂｌａｃｋ  ２ＧＴ（サンド社）、Ｎｅｏｚａｐｏｎ  Ｒｅｄ  ４９２（バスフ社）、Ｏｒａｓｏｌ  Ｒｅｄ  Ｇ（チバガイギー（Ｃｉｂａ−Ｇｅｉｇｙ）社）、Ｄｉｒｅｃｔ  Ｂｒｉｌｌｉａｎｔ  Ｐｉｎｋ  Ｂ（クロンプトン アンド ノールズ社）、Ａｉｚｅｎ  Ｓｐｉｌｏｎ  Ｒｅｄ  Ｃ−ＢＨ（保土ヶ谷化学社）、Ｋａｙａｎｏｌ  Ｒｅｄ  ３ＢＬ（日本化薬社）、Ｌｅｖａｎｏｌ  Ｂｒｉｌｌｉａｎｔ  Ｒｅｄ  ３ＢＷ（モバイケミ��ル社）、Ｌｅｖａｄｅｒｍ  Ｌｅｍｏｎ  Ｙｅｌｌｏｗ（モバイケミカル社）、Ａｉｚｅｎ  Ｓｐｉｌｏｎ  Ｙｅｌｌｏｗ  Ｃ−ＧＮＨ（保土ヶ谷化学社）、Ｓｐｉｒｉｔ  Ｆａｓｔ  Ｙｅｌｌｏｗ  ３Ｇ、Ｓｉｒｉｕｓ  Ｓｕｐｒａ  Ｙｅｌｌｏｗ  ＧＤ  １６７，Ｃａｒｔａｓｏｌ  Ｂｒｉｌｌｉａｎｔ  Ｙｅｌｌｏｗ  ４ＧＦ（サンド社）、Ｐｅｒｇａｓｏｌ  Ｙｅｌｌｏｗ  ＣＧＰ（チバガイギー社）、Ｏｒａｓｏｌ  Ｂｌａｃｋ  ＲＬ（チバガイギー社）、Ｏｒａｓｏｌ  Ｂｌａｃｋ  ＲＬＰ（チバガイギー社）、Ｓａｖｉｎｙｌ  Ｂｌａｃｋ  ＲＬＳ（サンド社）、Ｄｅｒｍａｃａｒｂｏｎ  ２ＧＴ（サンド社）、Ｐｙｒａｚｏｌ  Ｂｌａｃｋ  ＢＧ（アイシーアイ アメリカ社）、Ｍｏｒｆａｓｔ  Ｂｌａｃｋ  Ｃｏｎｃ  Ａ（モートン・チオコール（Ｍｏｒｔｏｎ−Ｔｈｉｏｋｏｌ）社）、Ｄｉａｚｏｌ  Ｂｌａｃｋ  ＲＮ  Ｑｕａｄ（アイシーアイ アメリカ社）、Ｏｒａｓｏｌ  Ｂｌｕｅ  ＧＮ（チバガイギー社）、Ｓａｖｉｎｙｌ  Ｂｌｕｅ  ＧＬＳ（サンド社）、Ｌｕｘｏｌ  Ｂｌｕｅ  ＭＢＳＮ（モートン・チオコール社）、Ｓｅｖｒｏｎ  Ｂｌｕｅ  ５ＧＭＦ（アイシーアイ アメリカ社）、及びＢａｓａｃｉｄ  Ｂｌｕｅ  ７５０（バスフ社）；全てバイエル（Ｂａｙｅｒ）社から入手可能な、Ｌｅｖａｆｉｘ  Ｂｒｉｌｌｉａｎｔ  Ｙｅｌｌｏｗ  Ｅ−ＧＡ、Ｌｅｖａｆｉｘ  Ｙｅｌｌｏｗ  Ｅ２ＲＡ、Ｌｅｖａｆｉｘ  Ｂｌａｃｋ  ＥＢ、Ｌｅｖａｆｉｘ  Ｂｌａｃｋ  Ｅ−２Ｇ、Ｌｅｖａｆｉｘ  Ｂｌａｃｋ  Ｐ−３６Ａ、Ｌｅｖａｆｉｘ  Ｂｌａｃｋ  ＰＮ−Ｌ、Ｌｅｖａｆｉｘ  Ｂｒｉｌｌｉａｎｔ  Ｒｅｄ  Ｅ６ＢＡ、及びＬｅｖａｆｉｘ  Ｂｒｉｌｌｉａｎｔ  Ｂｌｕｅ  ＥＦＦＡ；全てアイシーアイ アメリカ社から入手可能な、Ｐｒｏｃｉｏｎ  Ｔｕｒｑｕｏｉｓｅ  ＰＡ、Ｐｒｏｃｉｏｎ  Ｔｕｒｑｕｏｉｓｅ  ＨＡ、Ｐｒｏｃｉｏｎ  Ｔｕｒｑｕｏｉｓｅ  Ｈｏ５Ｇ、Ｐｒｏｃｉｏｎ  Ｔｕｒｑｕｏｉｓｅ  Ｈ−７Ｇ、Ｐｒｏｃｉｏｎ  Ｒｅｄ  ＭＸ−５Ｂ、Ｐｒｏｃｉｏｎ  Ｒｅｄ  Ｈ８Ｂ、Ｐｒｏｃｉｏｎ  Ｒｅｄ  ＭＸ  ８Ｂ  ＧＮＳ、Ｐｒｏｃｉｏｎ  Ｒｅｄ  Ｇ、Ｐｒｏｃｉｏｎ  Ｙｅｌｌｏｗ  ＭＸ−８Ｇ、Ｐｒｏｃｉｏｎ  Ｂｌａｃｋ  Ｈ−ＥＸＬ、Ｐｒｏｃｉｏｎ  Ｂｌａｃｋ  Ｐ−Ｎ、Ｐｒｏｃｉｏｎ  Ｂｌｕｅ  ＭＸ−Ｒ、Ｐｒｏｃｉｏｎ  Ｂｌｕｅ  ＭＸ−４ＧＤ、Ｐｒｏｃｉｏｎ  Ｂｌｕｅ  ＭＸ−Ｇ、及びＰｒｏｃｉｏｎ  Ｂｌｕｅ  ＭＸ−２ＧＮ；全てチバガイギー社から入手可能な、Ｃｉｂａｃｒｏｎ  Ｒｅｄ  Ｆ−Ｂ、Ｃｉｂａｃｒｏｎ  Ｂｌａｃｋ  ＢＧ、Ｌａｎａｓｏｌ  Ｂｌａｃｋ  Ｂ、Ｌａｎａｓｏｌ  Ｒｅｄ  ５Ｂ、Ｌａｎａｓｏｌ  Ｒｅｄ  Ｂ、及びＬａｎａｓｏｌ  Ｙｅｌｌｏｗ  ４６；全てバスフ社から入手可能な、Ｂａｓｌｉｅｎ  Ｂｌａｃｋ  Ｐ−ＢＲ、Ｂａｓｌｉｅｎ  Ｙｅｌｌｏｗ  ＥＧ、Ｂａｓｌｉｅｎ  Ｂｒｉｌｌｉａｎｔ  Ｙｅｌｌｏｗ  Ｐ−３ＧＮ、Ｂａｓｌｉｅｎ  Ｙｅｌｌｏｗ  Ｍ−６ＧＤ、Ｂａｓｌｉｅｎ  Ｂｒｉｌｌｉａｎｔ  Ｒｅｄ  Ｐ−３Ｂ、Ｂａｓｌｉｅｎ  Ｓｃａｒｌｅｔ  Ｅ−２Ｇ、Ｂａｓｌｉｅｎ  Ｒｅｄ  Ｅ−Ｂ、Ｂａｓｌｉｅｎ  Ｒｅｄ  Ｅ−７Ｂ、Ｂａｓｌｉｅｎ  Ｒｅｄ  Ｍ−５Ｂ、Ｂａｓｌｉｅｎ  Ｂｌｕｅ  Ｅ−Ｒ、Ｂａｓｌｉｅｎ  Ｂｒｉｌｌｉａｎｔ  Ｂｌｕｅ  Ｐ��３Ｒ、Ｂａｓｌｉｅｎ  Ｂｌａｃｋ  Ｐ−ＢＲ、Ｂａｓｌｉｅｎ  Ｔｕｒｑｕｏｉｓｅ  Ｂｌｕｅ  Ｐ−ＧＲ、Ｂａｓｌｉｅｎ  Ｔｕｒｑｕｏｉｓｅ  Ｍ−２Ｇ、Ｂａｓｌｉｅｎ  Ｔｕｒｑｕｏｉｓｅ  Ｅ−Ｇ、及びＢａｓｌｉｅｎ  Ｇｒｅｅｎ  Ｅ−６Ｂ；全て住友化学社から入手可能な、Ｓｕｍｉｆｉｘ  Ｔｕｒｑｕｏｉｓｅ  Ｂｌｕｅ  Ｇ、Ｓｕｍｉｆｉｘ  Ｔｕｒｑｕｏｉｓｅ  Ｂｌｕｅ  Ｈ−ＧＦ、Ｓｕｍｉｆｉｘ  Ｂｌａｃｋ  Ｂ、Ｓｕｍｉｆｉｘ  Ｂｌａｃｋ  Ｈ−ＢＧ、Ｓｕｍｉｆｉｘ  Ｙｅｌｌｏｗ  ２ＧＣ、Ｓｕｍｉｆｉｘ  Ｓｕｐｒａ  Ｓｃａｒｌｅｔ  ２ＧＦ、及びＳｕｍｉｆｉｘ  Ｂｒｉｌｌｉａｎｔ  Ｒｅｄ  ５ＢＦ；全てクロンプトン アンド ノールズ社の染料、化成品部門から入手可能な、Ｉｎｔｒａｃｒｏｎ  Ｙｅｌｌｏｗ  Ｃ−８Ｇ、Ｉｎｔｒａｃｒｏｎ  Ｒｅｄ  Ｃ−８Ｂ、Ｉｎｔｒａｃｒｏｎ  Ｔｕｒｑｕｏｉｓｅ  Ｂｌｕｅ  ＧＥ、Ｉｎｔｒａｃｒｏｎ  Ｔｕｒｑｕｏｉｓｅ  ＨＡ、及びＩｎｔｒａｃｒｏｎ  Ｂｌａｃｋ  ＲＬ；及びそれらの混合物が含まれる。このリストは、単なる例示であって、本発明を限定する意はない。
【００４９】
本明細書においては、比、濃度、量、及びその他の数値データを範囲形式で提示する場合のあることに留意されたい。そのような範囲形式は、便利且つ簡潔のために用いるものであって、範囲の限界値として明記した数値を含むだけでなく、各数値及び副範囲があたかも明記されているように、その範囲内に包含された個別の数値又は副範囲を全て包含するものと柔軟に解釈すべきであることを理解されたい。例を示せば、「約０．１％〜約５％」という濃度範囲は、約０．１ｗｔ％〜約５ｗｔ％という明記された濃度を含むだけではなくて、その表示範囲内の個別濃度（例えば、１ｗｔ％、２ｗｔ％、３ｗｔ％、及び４ｗｔ％）と副範囲（例えば、０．５％、１．１％、２．２％、３．３％、及び４．４％）を含むものと解釈すべきである。
【００５０】
上述の実施形態に多くの変更並びに修正を施すことができる。そのような修正及び変更は、全て、本開示の範囲内に包含され、且つ添付の特許請求の範囲によって保護されるものとする。
【図面の簡単な説明】
【００５１】
【図１】プリンタシステムの一実施形態
【図２】図１記載のプリンタシステムを用いてインクを分配するための代表的実施形態のフロー図
【図１】
2006028503.tif 000006
【図２】
2006028503.tif 000007